【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
複数の図柄を周囲に配置した複数個の回転リールと、
前記回転リールの回転を開始させるためのスタートスイッチと複数個の前記回転リールの回転を停止させるために前記回転リールにそれぞれ対応する複数個のストップスイッチと予めクレジットしたメダルからメダルの投入をするためのベットスイッチとを含むスイッチ装置と、
前記回転リールの図柄の停止表示の態様により構成される当選役を抽選により決定するための当選抽選手段と、
前記当選抽選手段の抽選結果に対応した停止制御を前記回転リールに対して行うための遊技制御手段とを備え、
メダルの投入を条件として遊技が開始可能となり、前記当選抽選手段の抽選の結果、所定の前記役に当選することにより当選フラグが成立し、且つ前記回転リールが前記役に応じて予め定められた図柄の停止表示の態様になることにより入賞となり、或いは前記図柄の停止表示の態様にならないことにより外れとなって１回の遊技が終了するように設定された遊技機において、
１回又は複数回の遊技における前記スイッチ装置の特定の操作の手順に沿った操作が行われたか否かを判断する操作手順判断手段と、
遊技を進行させるための特定の操作を所定時間不能とする操作不能手段とを備え、
前記操作の手順通りに操作が行われたか否かを前記操作手順判断手段で判断し、１回又は複数回の遊技における手順が前記操作の手順に沿っていたときには、その後の遊技で前記操作不能手段による操作不能期間を発生させ、その後に、遊技者に特典を付与することを特徴とする遊技機。
【請求項２】
複数の図柄を周囲に配置した複数個の回転リールと、
前記回転リールの回転を開始させるためのスタートスイッチと複数個の前記回転リールの回転を停止させるために前記回転リールにそれぞれ対応する複数個のストップスイッチと予めクレジットしたメダルからメダルの投入をするためのベットスイッチとを含むスイッチ装置と、
前記回転リールの図柄の停止表示の態様により構成される当選役を抽選により決定するための当選抽選手段と、
前記当選抽選手段の抽選結果に対応した停止制御を前記回転リールに対して行うための遊技制御手段とを備え、
メダルの投入を条件として遊技が開始可能となり、前記当選抽選手段の抽選の結果、所定の前記役に当選することにより当選フラグが成立し、且つ前記回転リールが前記役に応じて予め定められた図柄の停止表示の態様になることにより入賞となり、或いは前記図柄の停止表示の態様にならないことにより外れとなって１回の遊技が終了するように設定された遊技機において、
１回又は複数回の遊技における前記スイッチ装置の特定の操作の手順に沿った操作が行われたか否かを判断する操作手順判断手段と、
遊技を進行させるための特定の操作を所定時間不能とする操作不能手段とを備え、
前記操作の手順に沿った操作が行われたか否かを前記操作手順判断手段で判断し、１回又は複数回の遊技における手順が前記操作の手順に沿っていたときには、その後に前記操作不能手段による操作不能期間を発生させることを特徴とする遊技機。
【請求項３】
前記操作手順判断手段が判断する特定の操作には、メダルをメダル投入口に投入する操作が含まれることを特徴とする請求項１又は２に記載の遊技機。
【手続補正２】
【補正対象書類名】明細書
【補正対象項目名】０００１
【補正方法】変更
【補正の内容】
【０００１】
この発明は、所定の操作手順通りに操作が行われたときに、操作不能期間を発生させると共に、有利遊技に移行可能な遊技機に関する。
【手続補正３】
【補正対象書類名】明細書
【補正対象項目名】０００６
【補正方法】変更
【補正の内容】
【０００６】
上記した従来の遊技機において、フリーズ期間等に種々の演出が行われても、演出そのものに、遊技者が直接的に関与するものではないから、遊技者自らの自力要素で、何かを獲得したという達成感を得難いという問題点があった。
そこで、請求項１記載の発明は、上記した従来の技術の有する問題点に鑑みてなされたものであり、その目的とするところは、１回又は複数回の遊技において所定の操作手順通りに操作をした場合に、操作不能期間、いわゆる演出フリーズ期間を発生させるとともに、特典が付与されることが可能となり、遊技者に自力で特典を獲得したことへの達成感を与えようとするものである。
請求項２記載の発明は、上記した従来の技術の有する問題点に鑑みてなされたものであり、その目的とするところは、１回又は複数回の遊技において所定の操作手順通りに操作をした場合に、操作不能期間、いわゆる演出フリーズ期間を発生させ、遊技者に達成感を与えようとするものである。
請求項３記載の発明は、操作手順判断手段が判断する特定の操作には、メダルをメダル投入口に投入する操作を含ませようとするものである。
【手続補正４】
【補正対象書類名】明細書
【補正対象項目名】０００７
【補正方法】変更
【補正の内容】
【０００７】
（請求項１）
請求項１記載の発明に係る遊技機(10)は、複数の図柄(61)を周囲に配置した複数個の回転リール(40)と、前記回転リール(40)の回転を開始させるためのスタートスイッチ(30)と複数個の前記回転リール(40)の回転を停止させるために前記回転リール(40)にそれぞれ対応する複数個のストップスイッチ(50)と予めクレジットしたメダルからメダルの投入をするためのベットスイッチ(16)とを含むスイッチ装置と、前記回転リール(40)の図柄(61)の停止表示の態様により構成される当選役を抽選により決定するための当選抽選手段(110)と、前記当選抽選手段(110)の抽選結果に対応した停止制御を前記回転リール(40)に対して行うための遊技制御手段(27)とを備えている。
【手続補正５】
【補正対象書類名】明細書
【補正対象項目名】０００８
【補正方法】変更
【補正の内容】
【０００８】
そして、この遊技機(10)は、メダルの投入を条件として遊技が開始可能となり、前記当選抽選手段(110)の抽選の結果、所定の前記役に当選することにより当選フラグが成立し、且つ前記回転リール(40)が前記役に応じて予め定められた図柄(61)の停止表示の態様になることにより入賞となり、或いは前記図柄(61)の停止表示の態様にならないことにより外れとなって１回の遊技が終了するように設定されている。
そして、１回又は複数回の遊技における前記スイッチ装置の特定の操作の手順に沿った操作が行われたか否かを判断する操作手順判断手段(180)と、遊技を進行させるための特定の操作を所定時間不能とする操作不能手段(140)とを備えている。
【手続補正６】
【補正対象書類名】明細書
【補正対象項目名】０００９
【補正方法】変更
【補正の内容】
【０００９】
そして、前記操作の手順通りに操作が行われたか否かを前記操作手順判断手段(180)で判断し、１回又は複数回の遊技における手順が前記操作の手順に沿っていたときには、その後の遊技で前記操作不能手段(140)による操作不能期間を発生させ、その後に、遊技者に特典を付与することを特徴とする。
（請求項２）
請求項２記載の発明は、複数の図柄(61)を周囲に配置した複数個の回転リール(40)と、前記回転リール(40)の回転を開始させるためのスタートスイッチ(30)と複数個の前記回転リール(40)の回転を停止させるために前記回転リール(40)にそれぞれ対応する複数個のストップスイッチ(50)と予めクレジットしたメダルからメダルの投入をするためのベットスイッチ(16)とを含むスイッチ装置と、前記回転リール(40)の図柄(61)の停止表示の態様により構成される当選役を抽選により決定するための当選抽選手段(110)と、前記当選抽選手段(110)の抽選結果に対応した停止制御を前記回転リール(40)に対して行うための遊技制御手段(27)とを備え、メダルの投入を条件として遊技が開始可能となり、前記当選抽選手段(110)の抽選の結果、所定の前記役に当選することにより当選フラグが成立し、且つ前記回転リール(40)が前記役に応じて予め定められた図柄(61)の停止表示の態様になることにより入賞となり、或いは前記図柄(61)の停止表示の態様にならないことにより外れとなって１回の遊技が終了するように設定された遊技機(10)において、１回又は複数回の遊技における前記スイッチ装置の特定の操作の手順に沿った操作が行われたか否かを判断する操作手順判断手段(180)と、遊技を進行させるための特定の操作を所定時間不能とする操作不能手段(140)とを備え、前記操作の手順に沿った操作が行われたか否かを前記操作手順判断手段(180)で判断し、１回又は複数回の遊技における手順が前記操作の手順に沿っていたときには、その後に前記操作不能手段(140)による操作不能期間を発生させることを特徴とする。
（請求項３）
請求項３記載の発明は、上記した請求項１又は請求項２記載の発明の特徴点に加え、前記操作手順判断手段(180)が判断する特定の操作には、メダルをメダル投入口(18)に投入する操作が含まれることを特徴とする。
【手続補正７】
【補正対象書類名】明細書
【補正対象項目名】００１０
【補正方法】変更
【補正の内容】
【００１０】
本発明は、以上のように構成されているので、以下に記載されるような効果を奏する。
（請求項１）
請求項１記載の発明によれば、操作手順判断手段が特定の操作の手順に沿って遊技者の操作が行われたと判断したときには、その後の遊技で操作不能手段が操作不能期間を発生させる。そして、その後に、特典が付与される。これにより、操作手順通りに操作をしたことで特典が付与されたという達成感を遊技者に付与することができる。更に、操作不能期間の発生で特典を想起させることができ、遊技者の持つ操作不能期間のイメージを良いものにすることができ、遊技全体を面白みのあるものにすることができる。
（請求項２）
請求項２記載の発明によれば、操作手順判断手段が特定の操作の手順に沿って遊技者の操作が行われたと判断したときには、その後に、操作不能手段が操作不能期間を発生させる。これにより、操作手順通りに操作をしたことで達成感を遊技者に付与することができる。更に、操作不能期間の発生で特典を想起させることができ、遊技全体を面白みのあるものにすることができる。
（請求項３）
請求項３記載の発明によれば、操作手順判断手段が判断する特定の操作にメダルをメダル投入口に投入する操作を含ませることができる。